(57)【要約】 【課題】  長尺、大容量の磁気テープ等の短時間内の消去等を達成する。【解決手段】  永久磁石２１と永久磁石２２との磁界空間２９に生じている磁界方向に対して直角に磁気テープ移動装置１４のテーブル３５を移動させる。そのテーブル３５には、磁気テープ容器３４が磁気テープ固定バンド３６で固定されている。磁気テープ容器３４内の磁気テープ４５の磁化方向は、磁界方向に一致している。したがって、磁気テープ４５が磁界方向と直角に移動される際に、記憶面上に形成されるトラックに記憶されているデータの磁化は磁界方向に整列される、つまり、トラック方向への磁気テープの移動によるデータの直列的な消去でなく、磁気テープのデータの平行的な消去を行う。【選択図】      図１
2006196134.tif 000002
【特許請求の範囲】
【請求項１】
磁気記憶媒体を磁界内に移動させて該磁気記憶媒体の磁気情報を消去する磁気情報消去方法であって、
前記磁気記憶媒体の記憶磁化方向に対して第１の所定の角度で前記磁界を前記磁気記憶媒体に対して印加し、
前記磁界が印加されている前記磁気記憶媒体を前記磁界の磁界方向に対して第２の所定の角度で移動させることを特徴とする磁気情報消去方法。
【請求項２】
前記磁界は、磁気回路に形成される磁界空間の一方の端と他方の端との間に向けて生ずる磁界であることを特徴とする請求項１記載の磁気情報消去方法。
【請求項３】
前記磁界空間は、一方の前記端に配置される第１の直流磁界発生手段の磁極と他方の前記端に配置され第１の前記直流磁界発生手段の極性とは逆極性の第2の直流磁界発生手段の磁極との間に形成される空間であることを特徴とする請求項２記載の磁気情報消去方法。
【請求項４】
前記直流磁界発生手段は、永久磁石で形成されることを特徴とする請求項３記載の磁気情報消去方法。
【請求項５】
第１の前記所定の角度は、平行であることを特徴とする請求項１、２、３又は４記載の磁気情報消去方法。
【請求項６】
第２の前記所定の角度は、直角であることを特徴とする請求項１、２、３又は４記載の磁気情報消去方法。
【請求項７】
前記磁気記憶媒体は、巻回された磁気テープであることを特徴とする請求項１乃至６のいずれか一に記載の磁気情報消去方法。
【請求項８】
磁界発生手段と、該磁界発生手段によって発生されている磁界内へ磁気記憶媒体を移動させる移動手段とを備えて該磁気記憶媒体の磁気情報を消去する磁気情報消去装置であって、
前記磁界発生手段は、前記磁気記憶媒体の記憶磁化方向に対して第１の所定の角度で前記磁界を前記磁気記憶媒体に対して印加し、
前記移動手段は、前記磁界発生手段によって前記磁界が印加されている前記磁気記憶媒体を前記磁界の方向に対して第２の所定の角度で移動させることを特徴とする磁気情報消去装置。
【請求項９】
前記磁界は、磁気回路に形成される磁界空間の一方の端と他方の端との間に向けて生ずる磁界であることを特徴とする請求項８記載の磁気情報消去装置。
【請求項１０】
前記磁界空間は、一方の前記端に配置される第１の直流磁界発生手段の磁極と他方の前記端に配置され第１の前記直流磁界発生手段の極性とは逆極性の第2の直流磁界発生手段の磁極との間に形成される空間であることを特徴とする請求項９記載の磁気情報消去装置。
【請求項１１】
前記直流磁界発生手段は、永久磁石によって形成されることを特徴とする請求項１０記載の磁気情報消去装置。
【請求項１２】
第１の前記所定の角度は、平行であることを特徴とする請求項８乃至１１のいずれか一に記載の磁気情報消去装置。
【請求項１３】
第２の前記所定の角度は、直角であることを特徴とする請求項８乃至１１のいずれか一に記載の磁気情報消去装置。
【請求項１４】
前記磁気記憶媒体は、巻回された磁気テープであることを特徴とする請求項８乃至１３のいずれか一に記載の磁気情報消去装置。
【請求項１５】
前記磁界発生手段は、２分割された磁界発生装置収納ケースの下ケース内に緩衝材を介して収納されると共に、前記移動手段は、前記磁界発生装置収納ケースとは別体の、２分割された磁気記憶媒体移動装置収納ケースの下ケース内に緩衝材を介して収納されていることを特徴とする請求項８乃至１４のいずれか一に記載の磁気情報消去装置。
【請求項１６】
磁界発生手段を緩衝材を介して収納する下ケースと、該下ケースに被せて固定される上ケースとから成ることを特徴とする磁界発生装置収納ケース。
【請求項１７】
請求項１６記載の磁界発生装置収納ケースを載置して固定することを特徴とする磁界発生装置台車。
【請求項１８】
移動手段を緩衝材を介して収納する下ケースと、該下ケースに被せて固定される上ケースとから成ることを特徴とする磁気記憶媒体移動装置収納ケース。
【請求項１９】
請求項１８記載の磁気記憶媒体移動装置収納ケースを載置して固定することを特徴とする磁気記憶媒体移動装置台車。
【発明の詳細な説明】
【技術分野】
【０００１】
この発明は、磁気情報消去方法及びその装置並びにそのための磁界発生装置収納ケース、磁気記憶媒体移動装置収納ケース、磁界発生装置台車及び磁気記憶媒体移動装置台車に関し、さらに詳しくは磁気記憶媒体の磁化方向に磁界を印加しつつその磁界に対して直角に磁気記憶媒体を移動させて磁気記憶媒体のデータを消去する磁気情報消去方法及びその装置並びにそのための磁界発生装置収納ケース、磁気記憶媒体移動装置収納ケース、磁界発生装置台車及び磁気記憶媒体移動装置台車に関する。
【背景技術】
【０００２】
磁気テープ等の磁気記憶媒体のデータ消去装置及びその方法は、従来から各種のものが知られている。
その第１の例が、特許文献１に記載されている。この特許文献に記載されるデータ消去装置は、図１０に示すように、交流電源１０１と、直流変換部１０２と、リアクトル１０３と、コンデンサー１０４と、スイッチ１０５と、コイル１０６とから構成されている。
コイル１０６は、コイルスプール上に巻回されている。コイルスプールは中空であり、その中にハードディスク装置が挿入された状態でハードディスクのデータの消去を行うように構成されている。
【０００３】
このデータ消去装置の動作の概要を説明すると、次のようになる。コイル１０６内にハードディスク装置を挿入するまでに、交流電源１０１からの交流電力を直流変換部１０２で直流に変換し、その直流でコンデンサー１０４を充電しておく。ハードディスク装置の挿入後に、スイッチ１０５を閉成して充電されているコンデンサー１０４を瞬時に放電することにより放電される直流がコイル１０６に流れ、コイル１０６から発生する磁界によってコイル１０６内に挿入されているハードディスク装置内のハードディスク（図示せず）のデータを消去する。
【０００４】
また、第２の例が、特許文献２に記載されている。この特許文献に記載されるデータ消去装置は、図１１に示すように、永久磁石１１１、１１３によって発生されている直流磁界と平行に磁気ディスク装置１１５を移動させて磁気ディスク装置１１５内の磁気ディスク（図示せず）のデータを消去するものである。
【０００５】
また、第３の例が、特許文献３に記載されている。この特許文献に記載されるデータ消去装置は、図１２に示すように、巻回した磁気テープＴＰをターンテーブル１２１上に載置し、そのターンテーブル１２１をスライドテーブル駆動手段１２３により空芯コイル１２５内へ前進通過させて磁気テープＴＰに対して１回目の磁気消去作用を施す。そして、ターンテーブル１２１を所定の角度、例えば、９０度だけターンテーブル駆動手段１２７により回転させた後、ターンテーブル１２１を空芯コイル１２３内へスライドテーブル駆動手段１２３により後退させて磁気テープＴＰに対して２回目の磁気消去作用を施す。これにより、磁気テープＴＰの消去ムラを除去するものである。
なお、ターンテーブル１２１は、スライドテーブル１２９上に回転可能に支承され、かつ、スライドテーブル駆動手段１２３により往復動可能になっている。そのために、スライドテーブル１２９には、インナーガイド１３１が固定され、そのインナーガイド１３１がアウターガイド１３３内を往復動可能となっている。
【０００６】
このような手段を取るのは、巻回した磁気テープＴＰを空芯コイル１２３内に通過させただけでは磁気テープＴＰの配向方向（磁化方向）と空芯コイル１２３が発生する磁界との整合が取れず、巻回した磁気テープＴＰの巻回位置により消去の程度に差が生ずるので、上記整合が十分に取れていなかった磁気テープＴＰの部分の整合を取るために上述のようなターンテーブル１２１を回転させる手段を採用している。
【０００７】
【特許文献１】特開２００４−１９２６８２号公報
【特許文献２】特開２００４−１１０９０８号公報
【特許文献３】特開平０４−１７２６０１号公報
【発明の開示】
【発明が解決しようとする課題】
【０００８】
特許文献１に記載されるデータ消去装置では、ハードディスク装置全体を中空コイル内に収めた状態でハードディスクのデータの消去を行うものであるから、データ消去装置の大型化を避けることができない。装置のコンパクト化が阻害されるし、可搬性に劣る。
ハードディスクのトラックの磁化方向と磁界との整合がハードディスク全体に亘って均一でないという技術的課題や誘導磁界の人体への影響が解決されないまま残っているという技術的課題もある。
【０００９】
特許文献２に記載されるデータ消去装置は、直流磁界内に磁気ディスク装置を移動させるという技術手段の採用により装置の大型化を回避し得るが、なお、ハードディスクのトラックの磁化方向と磁界との整合がハードディスク全体に亘って均一でないという技術的課題や、装置のコンパクト化、可搬型に係る問題が残っている。
【００１０】
特許文献３に記載されるデータ消去装置は、空芯コイル内へ巻回した磁気テープを移動させる手段と、巻回した磁気テープに所定角度たけの回転を与える手段との採用により、装置のコンパクト化と磁気的整合の問題を解決してはいるが、磁気的整合を得るために回転手段を必要不可欠としている。
また、コンパクト化も空芯コイルと磁気テープ移動手段とが一体構成であるため、コンパクト化が、なお、不十分である。
また、このデータ消去装置は、空芯コイルが発生する磁界方向に磁気テープを移動させてのデータの消去である。
【００１１】
この発明は、上述の事情に鑑みてなされたもので、磁気記憶媒体に記憶されているデータの消去の短時間化、コンパクト化、可搬型が得られる磁気情報消去方法及びその装置並びにそのための磁界発生装置収納ケース、磁気記憶媒体移動装置収納ケース、磁界発生装置台車及び磁気記憶媒体移動装置台車を提供することを目的としている。
【課題を解決するための手段】
【００１２】
上記課題を解決するために、請求項１記載の発明は、磁気記憶媒体を磁界内に移動させて該磁気記憶媒体の磁気情報を消去する磁気情報消去方法に係り、上記磁気記憶媒体の記憶磁化方向に対して第１の所定の角度で上記磁界を上記磁気記憶媒体に対して印加し、上記磁界が印加されている上記磁気記憶媒体を上記磁界の磁界方向に対して第２の所定の角度で移動させることを特徴としている。
【００１３】
請求項２記載の発明は、請求項１記載の磁気情報消去方法に係り、上記磁界は、磁気回路に形成される磁界空間の一方の端と他方の端との間に向けて生ずる磁界であることを特徴としている。
【００１４】
請求項３記載の発明は、請求項２記載の磁気情報消去方法に係り、上記磁界空間は、一方の上記端に配置される第１の直流磁界発生手段の磁極と他方の上記端に配置され第１の上記直流磁界発生手段の極性とは逆極性の第2の直流磁界発生手段の磁極との間に形成される空間であることを特徴としている。
【００１５】
請求項４記載の発明は、請求項３記載の磁気情報消去方法に係り、上記直流磁界発生手段は、永久磁石で形成されることを特徴としている。
【００１６】
請求項５記載の発明は、請求項１、２、３又は４記載の磁気情報消去方法に係り、第１の上記所定の角度は、平行であることを特徴としている。
【００１７】
請求項６記載の発明は、請求項１、２、３又は４記載の磁気情報消去方法に係り、第２の上記所定の角度は、直角であることを特徴としている。
【００１８】
請求項７記載の発明は、請求項１乃至６のいずれか一に記載の磁気情報消去方法に係り、上記磁気記憶媒体は、巻回された磁気テープであることを特徴としている。
【００１９】
請求項８記載の発明は、磁界発生手段と、該磁界発生手段によって発生されている磁界内へ磁気記憶媒体を移動させる移動手段とを備えて該磁気記憶媒体の磁気情報を消去する磁気情報消去装置に係り、上記磁界発生手段は、上記磁気記憶媒体の記憶磁化方向に対して第１の所定の角度で上記磁界を上記磁気記憶媒体に対して印加し、上記移動手段は、上記磁界発生手段によって上記磁界が印加されている上記磁気記憶媒体を上記磁界の方向に対して第２の所定の角度で移動させることを特徴としている。
【００２０】
請求項９記載の発明は、請求項８記載の磁気情報消去装置に係り、上記磁界は、磁気回路に形成される磁界空間の一方の端と他方の端との間に向けて生ずる磁界であることを特徴としている。
【００２１】
請求項１０記載の発明は、請求項９記載の磁気情報消去装置に係り、上記磁界空間は、一方の上記端に配置される第１の直流磁界発生手段の磁極と他方の上記端に配置され第１の上記直流磁界発生手段の極性とは逆極性の第2の直流磁界発生手段の磁極との間に形成される空間であることを特徴としている。
【００２２】
請求項１１記載の発明は、請求項１０記載の磁気情報消去装置に係り、上記直流磁界発生手段は、永久磁石によって形成されることを特徴としている。
【００２３】
請求項１２記載の発明は、請求項８乃至１１のいずれか一に記載の磁気情報消去装置に係り、第１の上記所定の角度は、平行であることを特徴としている。
【００２４】
請求項１３記載の発明は、請求項８乃至１１のいずれか一に記載の磁気情報消去装置に係り、第２の上記所定の角度は、直角であることを特徴としている。
【００２５】
請求項１４記載の発明は、請求項８乃至１３のいずれか一に記載の磁気情報消去装置に係り、記磁気記憶媒体は、巻回された磁気テープであることを特徴としている。
【００２６】
請求項１５記載の発明は、請求項８乃至１４のいずれか一に記載の磁気情報消去装置に係り、上記磁界発生手段は、２分割された磁界発生装置収納ケースの下ケース内に緩衝材を介して収納されると共に、上記移動手段は、上記磁界発生装置収納ケースとは別体の、２分割された磁気記憶媒体移動装置収納ケースの下ケース内に緩衝材を介して収納されていることを特徴としている。
【００２７】
請求項１６記載の発明は、磁界発生手段の磁界発生装置収納ケースに係り、磁界発生手段を緩衝材を介して収納する下ケースと、該下ケースに被せて固定される上ケースとから成ることを特徴としている。
【００２８】
請求項１７記載の発明は、磁界発生装置収納ケースを載置する磁界発生装置台車に係り、請求項１６記載の磁界発生装置収納ケースを載置して固定することを特徴としている。
【００２９】
請求項１８記載の発明は、移動手段を収納する磁気記憶媒体移動装置収納ケースに係り、移動手段を緩衝材を介して収納する下ケースと、該下ケースに被せて固定される上ケースとから成ることを特徴としている。
【００３０】
請求項１９記載の発明は、磁気記憶媒体移動装置収納ケースを載置する磁気記憶媒体移動装置台車に係り、請求項１８記載の磁気記憶媒体移動装置収納ケースを載置して固定することを特徴としている。
【発明の効果】
【００３１】
この発明によれば、磁気記憶媒体を磁界内に移動させて該磁気記憶媒体の磁気情報を消去するに際して、磁気記憶媒体の記憶磁化方向に対して第１の所定の角度で磁界を磁気記憶媒体に対して印加し、磁界が印加されている磁気記憶媒体を磁界の磁界方向に対して第２の所定の角度で移動させるように構成したので、磁気記憶媒体に記憶されている磁気情報の消去の短時間化、コンパクト化、そして可搬型を得るのに役立つ。
【発明を実施するための最良の形態】
【００３２】
この発明は、磁界方向に磁気記憶媒体の記憶磁化方向を合わせて磁界を磁気記憶媒体に対して印加し、磁界が印加されている磁気記憶媒体を磁界の磁界方向と直角に移動させるように構成する。
【実施例１】
【００３３】
図１は、この発明の実施例１である磁気テープデータ消去装置の構成を示す図、図２は、同磁気テープデータ消去装置のデータ消去用磁気回路と漏洩磁束の流れを示す図、図３は、同磁気テープデータ消去装置の磁気テープ移動装置の動作状態の一部を示す図、図４は、同磁気テープデータ消去装置の磁気テープ移動装置の動作状態の残部を示す図、図５は、同磁気テープデータ消去装置のデータ消去用磁気回路ケースの構成図、図６は、同磁気テープデータ消去装置のデータ消去用磁気回路台車の構成図、図７は、同磁気テープデータ消去装置の磁気テープ移動装置ケースの構成図、図８は、同磁気テープデータ消去装置の磁気テープ移動装置台車の構成図、また、図９は、同磁気テープデータ消去装置の動作説明のためのフローチャートである。
【００３４】
この実施例の磁気テープデータ消去装置１は、巻回した磁気テープを収納した円筒状で非磁性の磁気テープ容器の磁気テープの磁化方向に磁界を印加しつつその磁界と直角な方向に磁気テープ容器を移動させて磁気テープのデータ（情報）を消去する装置に係り、図１乃至図４に示すように、データ消去用磁気回路１２と磁気テープ移動装置１４とから概略構成されている。
データ消去用磁気回路１２は、図５に示すように、データ消去用磁気回路ケース５０内に収納されて運搬可能とされている。データ消去用磁気回路ケース５０は、図６に示すように、データ消去用磁気回路台車６０に載置されて運搬される。
【００３５】
データ消去用磁気回路１２は、図１及び図２の（ａ）に示すように、上側をＮ極とし下側をＳ極とし水平方向に配置された８個の上部永久磁石２１と、上側をＳ極とし下側をＮ極とし水平方向に配置された８個の下部永久磁石２２と、８個の上部永久磁石２１を固定する上部ベースヨーク２３と、８個の下部永久磁石２２を固定する下部ベースヨーク２４と、上部ベースヨーク２３と下部ベースヨーク２４とを固定する左サイドヨーク２５及び右サイドヨーク２６と、上部永久磁石保護カバー２７と、下部永久磁石保護カバー２８とから構成され、上部永久磁石２１と下部永久磁石２２との間に所定間隔の磁界空間２９が形成されている。
【００３６】
上部永久磁石２１と下部永久磁石２２との間に所定間隔の磁界空間２９に発生される直流高磁界は、次のような値の強さの磁界に設定される。
これを具体的に説明すると、現状における最高記録密度を誇る磁気テープの保磁力は、２００ＫＡ／Ｍ＝２５００ Ｏe（エルステッド）ほどあり、このような磁気テープを磁化容易軸の直角方向に磁化するためには４００ＫＡ／Ｍ＝５０００ Ｏe程度の磁界を必要とする。
そして、そのように磁化されている磁気テープに記録されているデータを消去するために、永久磁石で形成されるデータ消去用磁気回路１２の直流高磁界を６２００ Ｏe程度にした。
【００３７】
上部永久磁石２１及び下部永久磁石２２は、図２の（ｂ）に矢印で示すように、直流高磁界の漏洩磁束を常に発生している。
上部ベースヨーク２３、下部ベースヨーク２４、左サイドヨーク２５及び右サイドヨーク２６の４つのヨークは、漏洩磁束が外部空間へ漏れなくする機能を果たす。
上部永久磁石保護カバー２７は、上部永久磁石２１の破損防止のための部材であり、下部永久磁石保護カバー２８は、下部永久磁石２２の破損防止のための部材である。
なお 、上部永久磁石保護カバー２７は、ねじ３１で上部ベースヨーク２３に固定され、下部永久磁石保護カバー２８は、ねじ３２で下部ベースヨーク２４に固定されている。
【００３８】
また、データ消去用磁気回路１２は、図５に示すように、データ消去用磁気回路ケース５０内に収納されている。
データ消去用磁気回路ケース１５は、上ケース５１（図５の（ａ）、（ｂ）、（ｃ））と、下ケース５２（図５の（ａ）、（ｂ）、（ｄ））と、下ケース５２の前後のケース壁に設けられた１対の把手５３（後側の一対の把手は図示せず）（図５の（ａ）、（ｄ））と、下ケース５２の底壁の前側と後側との双方に設けられた１対のプラスチック製脚５４（後側の一対のプラスチック製脚は図示せず）（図５の（ａ）、（ｂ）、（ｄ））と、上ケース５１内に収納された上ケース緩衝材５５（図５の（ｂ）、（ｃ））と、下ケース５２内に収納された下ケース緩衝材５６（図５の（ｂ）、（ｄ））と、上ケース５１と下ケース５２との間に設けられたロック金具５７（図５の（ａ）、（ｄ））と、留め具５８（図５の（ａ））とから構成されている。
なお、図１、図３及び図４には、データ消去用磁気回路ケースのうちの下ケース５２と、把手５３と、プラスチック製脚５４と、ロック金具５７と、留め具５８とが図示されている。
【００３９】
図６は、データ消去用磁気回路台車６０を示す。
データ消去用磁気回路台車６０は、把手６１と、台車６０の下部に設けられた左右一対のキャスタ６２と、上側ケース固定用バンド６３と、下側ケース固定用バンド６４と、底部６５と、台車固定用ストッパー６６とから構成されている。
【００４０】
磁気テープ移動装置１４は、図７に示すように、磁気テープ移動装置ケース７０内に収納されて運搬可能とされている。磁気テープ移動装置ケース７０は、図８に示すように、磁気テープ移動装置台車８０に載置されて運搬される。
磁気テープ移動装置１４は、図３の（ａ）、（ｂ）及び（ｃ）に示すように、消去しようとする磁気テープ４５を巻回して収納する円筒状で非磁性の磁気テープ容器３４を載置するテーブル３５と、磁気テープ容器３４を固定する磁気テープ固定バンド３６と、アクチュエートモータ制御部３７と、アクチュエートモータ制御部３７のコントローラに書き込まれているプログラムの制御によって往復動作可能なアクチュエートモータ３８と、アクチュエートモータ（Ａctuate Ｍotor）３８に給電する給電スイッチ３９と、アクチュエートモータ３８の動作を有効にする起動スイッチ４０と、何らかの不具合によりテーブル３５がトラブルを起こしたときアクチュエートモータ３８を緊急停止させ得る緊急停止スイッチ４１と、アクチュエートモータ３８の往復動作をガイドするアクチュエートモータガイドレール４２と、リニアガイドレール４３とから構成されている。
【００４１】
磁気テープ容器３４は、非磁性の材料で形成された上ケース４６と下ケース４７とで構成され、下ケース４６内に巻回された磁気テープ４５を入れ、その下ケース４７に上ケース４６を被せることで巻回された磁気テープ４５を収納するものである。
【００４２】
磁気テープ移動装置１４は、図７を参照して説明するように、磁気テープ移動装置ケース７０内に収納されている。
磁気テープ移動装置ケース７０は、上ケース７１（図７の（ａ）、（ｂ）、（ｃ））と、下ケース７２（図７の（ａ）、（ｂ）、（ｄ））と、下ケース７２の前後のケース壁に設けられた１対の把手７３（後側の一対の把手は図示せず）（図７の（ａ）、（ｄ））と、下ケース７２の底壁の前側と後側との双方に設けられた１対のプラスチック製脚７４（後側の一対のプラスチック製脚は図示せず）（図７の（ａ）、（ｂ）、（ｄ））と、上ケース７１内に収納された上ケース緩衝材７５（図７の（ｂ）、（ｃ））と、下ケース７２内に収納された下ケース緩衝材７６（図７の（ｂ）、（ｄ））と、上ケース７１と下ケース７２との間に設けられたロック金具７７と、留め具７８（図７の（ａ））とから構成されている。
なお、図１、図３及び図４には、磁気テープ移動装置ケース７０のうちの下ケース７２と、把手７３と、プラスチック製脚７４と、ロック金具７７と、留め具７８とが図示されている。
【００４３】
図８は、磁気テープ移動装置台車８０を示す。
磁気テープ移動装置台車８０は、把手８１と、台車８０の下部に設けられた左右一対のキャスタ８２と、上側ケース固定用バンド８３と、下側ケース固定用バンド８４と、底部８５と、台車固定用ストッパー８６とから構成されている。
【００４４】
この実施例の磁気テープデータ消去装置１は、データ消去用磁気回路１２をデータ消去用磁気回路ケース５０内に収納し、かつ、磁気テープ容器３４を磁気テープ移動装置ケース７０に収納した状態で、磁気テープ容器３４内に収納された磁気テープ４５のデータ（磁気情報）を消去するのに用いられる。
データ消去用磁気回路１２は、その下部を下ケース緩衝材５６で包んだ状態でデータ消去用磁気回路ケース５０の下ケース５２内に収納される。また、磁気テープ移動装置１４は、その下部を下ケース緩衝材７６で包んだ状態で磁気テープ移動装置ケース７０の下ケース７２内に収納されている。
【００４５】
データ消去用磁気回路ケース５０と磁気テープ移動装置ケース７０とを水平な支持台上に載置し、磁気テープ移動装置１４のテーブル３５とデータ消去用磁気回路１２の磁界空間２９との水平方向の位置関係を合わせ込むと、磁気テープ移動装置１４のテーブル３５及びその上に載置され磁気テープ固定バンド３６で固定された磁気テープ容器３４がデータ消去用磁気回路１２の磁界空間２９内を通過し得るような幾何学的な寸法で、磁気テープ移動装置１４のテーブル３５とデータ消去用磁気回路１２の磁界空間２９とが形作られている。
【００４６】
次に、図１乃至図９を参照して、この実施例の動作について説明する。
磁気テープ容器３４内に収納された磁気テープ４５の消去に際して、データ消去用磁気回路１２は、その下部を下ケース緩衝材５６で包んだ状態でデータ消去用磁気回路ケース５０の下ケース５２内に収納される一方、磁気テープ移動装置１４は、その下部を下ケース緩衝材７６で包んだ状態で磁気テープ移動装置ケース７０の下ケース７２内に収納されている。
【００４７】
そのようなデータ消去用磁気回路ケース５０と磁気テープ移動装置ケース７０とが、磁気テープ移動装置１４のテーブル３５がデータ消去用磁気回路１２の磁界空間２９内を通過し得る位置関係に、磁気テープ移動装置１４のテーブル３５とデータ消去用磁気回路１２の磁界空間２９との位置関係を合わせ込むようにして、水平な支持台上に載置される（図３の（ａ））。
【００４８】
その位置付け状態にある磁気テープ移動装置１４のテーブル３５上の据付位置（テーブル３５の前進方向の開始位置）に巻回された磁気テープ４５を収納した磁気テープ容器３４を置く（図９のＳ１、図３の（ａ））。
テーブル３５上に載置された磁気テープ容器３４内に収納された磁気テープ４５のトラックに記憶されているデータの磁化方向は、データ消去用磁気回路が発生している磁界の方向となる。
【００４９】
その磁気テープ容器３４を磁気テープ固定バンド３６で固定する（Ｓ２、図３の（ａ））。
この固定は、磁気テープ４５のテープ表面に塗布されている磁性粉がデータ消去用磁気回路１２の上部永久磁石２１に吸引されて磁気テープ容器３４が上部永久磁石２１に接触するのを防止すると共に、テーブル３５が移動する際に生ずる磁気テープ容器３４の振動及びズレを防止するためである。
【００５０】
アクチュエート制御部３７の給電スイッチ３９を押下してアクチュエートモータ３８に給電する（Ｓ３）。
次いで、アクチュエート制御部３７の起動スイッチ４０を押下して（図９のＳ４）アクチュエート制御部３７のコントローラに書き込まれているプログラムの実行を開始させる。
このプログラムの実行により、アクチュエートモータ３８が始動し始め、このモータ３８の回転によりテーブル３５はアクチュエートモータガイドレール４２及びリニアガイドレール４３に沿って前進させられて磁気テープ容器３４をデータ消去用磁気回路１２の磁界空間２９を通過させて行く（図９の（Ｓ５）、図３の（ｂ）、図４の白抜き矢印の前進方向）。
【００５１】
この通過の際に、磁気テープ容器３４の磁気テープ４５は、データ消去用磁気回路１２の下部永久磁石２２から上部永久磁石２１へ上向きに発生している直流磁界と直角方向に移動して行く。つまり、直流磁界は、磁気テープ４５の長さ方向に形成されているトラックにデータを記憶している磁化方向に作用する。
上述のような直流磁界の作用を受ける磁気テープ容器３４は、データ消去用磁気回路１２の下部永久磁石２２と上部永久磁石２１との間に磁界空間の通過で、磁気テープ４５に記憶されているデータは、磁気テープ４５の磁界空間内の通過で瞬時的に消去される（図９の（Ｓ６））。
また、テーブル３５の往復動の際に何らかのトラブルが発生したときは、緊急停止スイッチ４１を作動させて緊急停止する。
【００５２】
磁気テープ４５のデータの消去について具体的な例を説明すると、現在の最高記録密度を誇る磁気テープの保磁力は、２００ＫＡ／Ｍ＝２５００ Ｏe（エルステッド）ほどあり、このような磁気テープを磁化容易軸の直角方向に磁化するためには４００ＫＡ／Ｍ＝５０００ Ｏe程度の磁界を磁気テープ４５に印加している。
そして、そのようにして磁化されている磁気テープに記録されているデータを消去するために、永久磁石で形成されるデータ消去用磁気回路１２の磁界空間２９に生じている６２００ Ｏe程度の直流高磁界の中を磁気テープ４５を通過させて磁気テープ４５のデータを消去した。
【００５３】
このような直流高磁界の発生に永久磁石を使用すると、電源が必要で無くなり、磁気テープデータ消去装置の軽量化に役立つばかりでなく、装置自体のコンパクト化にも役立ち、その運搬をし易くなる。
磁気テープデータ消去装置の軽量化やコンパクト化は、その使用場所の制限緩和になるし、磁気テープの消去をどこでも施行し得ることにもなる。
【００５４】
上述した磁気テープ容器３４の移動は、前進方向の所定位置まで続行される。この所定位置は、アクチュエートモータ制御部３７内のコントローラに書き込まれているプログラムにより規定されており、その所定位置で磁気テープ容器３４の移動は停止される（図９の（Ｓ７）、図４）。
磁気テープ容器３４は、上記所定位置まで移動された後、アクチュエートモータ制御部３７内のコントローラに書き込まれているプログラムにより後退させられ（図４の白抜き矢印の後退方向）、上記開始位置（図３の（ａ））まで後退されたときその位置で磁気テープ容器３４の移動は停止される（図９の（Ｓ８）、図３）
【００５５】
このようにして、磁気テープ４５の消去が行われ、開始位置まで復帰した磁気テープ容器３４は、磁気テープ固定用バンド３６を外されて（図９の（Ｓ９））テーブル３５から取り除かれる（図９の（Ｓ１０））。
【００５６】
上述のようにして、磁気テープ容器３４に収納されている磁気テープ４５のデータ消去に用いたデータ消去用磁気回路１２のデータ消去用磁気回路ケース５０内への収納及びそのデータ消去用磁気回路ケース５０の運搬について説明する。
磁気テープ４５の消去に際して、データ消去用磁気回路１２を下ケース緩衝材５６で包んで収納した状態で使用した下ケース５２（図５の（ｄ））に、上ケース緩衝材５５を接着固定している上ケース５１（図５の（ｃ））を被せる（図５の（ｂ））。
そして、下ケース５２の左右に設けてあるロック金具５７を上ケース５１の左右に設けてある留め具５８に掛けて上ケース５１を下ケース５２に固定する（図５の（ａ））。
この固定は、運搬する際の振動、衝撃及び脱落の防止に役立つ。
【００５７】
このようにして、下ケース５２に上ケース５１を被せたデータ消去用磁気回路ケース５０の把手５３（図５の（ａ））を握ってデータ消去用磁気回路ケース５０を持ち上げ、そのデータ消去用磁気回路ケース５０をデータ消去用磁気回路台車６０の底部６５に載せ（図６の（ａ））、ケース固定バンド６３、６４でデータ消去用磁気回路ケース５０をデータ消去用磁気回路台車６０に固定する（図６の（ｂ））。
データ消去用磁気回路ケース５０を載せ固定されているデータ消去用磁気回路台車６０は、その把手６１（図６）を握り、運搬方向前方にやや傾けて引いて行けば、そのキャスター６２の回転により安全に、且つ容易に運搬することができる。
また、データ消去用磁気回路台車６０の停止及び保管時には台車固定ストッパー６２によって確実に固定することができる。
【００５８】
次に、上述のようにして、磁気テープ容器３４に収納されている磁気テープ４５のデータ消去に使用した磁気テープ移動装置１４の磁気テープ移動装置ケース７０内への収納及びその磁気テープ移動装置ケース７０の運搬について説明する。
磁気テープ４５の消去に際して、磁気テープ移動装置１４を下ケース緩衝材７６で包んで収納した状態で使用した下ケース７２（図７の（ｄ））に、上ケース緩衝材７５を接着固定している上ケース７１（図７の（ｃ））を被せる（図７の（ｂ））。
そして、下ケース７２の左右に設けてあるロック金具７７を上ケース７１の左右に設けてある留め具７８に掛けて上ケース７１を下ケース７２に固定する（図７の（ａ））。
この固定は、運搬する際の振動、衝撃及び脱落の防止に役立つ。
【００５９】
このようにして、下ケース７２に上ケース７１を被せた磁気テープ移動装置ケース７０の把手７３（図７の（ａ））を握って磁気テープ移動装置ケース７０を持ち上げ、その磁気テープ移動装置ケース７０を磁気テープ移動装置台車８０の底部８５に載せ（図８の（ａ））、ケース固定バンド８３、８４で磁気テープ移動装置ケース７０を磁気テープ移動装置台車８０に固定する（図８の（ｂ））。
磁気テープ移動装置ケース７０を載せ固定されている磁気テープ移動装置台車８０は、その把手８１（図８）を握り、運搬方向前方にやや傾けて引いて行けば、そのキャスター８２の回転により安全に、且つ容易に運搬することができる。
また、磁気テープ移動装置ケース７０の停止及び保管時には台車固定ストッパー８２によって確実に固定することができる。
【００６０】
このように、この実施例の構成によれば、磁気テープ容器に収納された磁気テープは、データ消去用磁気回路の磁界空間に発生している直流磁界と直角方向に移動させられ、その直流磁界内に磁気テープに記憶されているデータの磁化方向が置かれることにより磁気テープのデータは消去される。
この消去により、長尺、かつ、大容量の磁気テープの消去を短時間のうちに行うことかできるし、この磁気テープの消去に電源は不要である。
電源の不要化は、装置の軽量化、コンパクト化となり、次のような装置の運搬性や広域的な使用性に役立つ。
データ消去用磁気回路を永久磁石で構成する場合には、人体への影響を完全に除去し得る。
【００６１】
すなわち、そのデータ消去用磁気回路をデータ消去用磁気回路ケース内に収納し、そのデータ消去用磁気回路ケースをデータ消去用磁気回路台車に載せて運搬可能にしていると共に、磁気テープ移動装置を磁気テープ移動装置ケース内に収納し、その磁気テープ移動装置ケースを磁気テープ移動装置台車に載せて運搬可能にしているので、磁気テープデータ消去装置を据え付ける場所さえ確保し得れば、消去作業の場所的制限はなく、磁気テープの消去をどこでも行うことができる。
【００６２】
また、テーブル上に磁気テープの巻回体を固定してその磁気テープの巻回体をデータ消去用磁気回路の磁界空間を移動させて磁気テープの消去を行うようにしているから、大量の磁気テープを短時間で消去することができる。
【００６３】
さらに、運搬可能にあるデータ消去用磁気回路ケース内のデータ消去用磁気回路を消去可能な状態に設置すると共に、運搬可能にある磁気テープ移動装置ケース内の磁気テープ移動装置を消去可能な状態に設置して磁気テープの消去を行い、消去終了後に、データ消去用磁気回路を緩衝材で囲むようにデータ消去用磁気回路ケース内に戻して運搬し得る状態にし、そのデータ消去用磁気回路ケースをデータ消去用磁気回路台車に固定すると共に、磁気テープ移動装置を緩衝材で囲むように磁気テープ移動装置ケース内に戻して運搬し得る状態にし、その磁気テープ移動装置ケースを磁気テープ移動装置台車に固定して運搬できるようにしているから、データ消去用磁気回路をデータ消去用磁気回路ケースに収納した状態で、かつ、磁気テープ移動装置を磁気テープ移動装置ケースに収納した状態で、磁気テープの消去を行うことができるし、その消去終了後には、データ消去用磁気回路及び磁気テープ移動装置を安全、かつ、簡単に運搬することができる。
【００６４】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、実施例では、データ消去用磁気回路を永久磁石で構成する例について説明したが、直流電磁石で代替することもできる。
また、人体への影響を除去し得る手段を施せば、交流電磁石で構成してこの発明を実施し得る。
また、磁気テープだけでなく、磁気ディスク等の他のデータ記憶媒体でも実施し得る。
【産業上の利用可能性】
【００６５】
ここに開示しているデータ消去方法及びその装置は、各種の磁気情報記憶装置、例えば、デジタルオーディオテープ、アドバンスドインテリジェントテープ等の磁気情報の消去に利用し得る。
【図面の簡単な説明】
【００６６】
【図１】この発明の実施例１である磁気テープデータ消去装置の構成を示す図である。
【図２】同磁気テープデータ消去装置のデータ消去用磁気回路と漏洩磁束の流れを示す図である。
【図３】同磁気テープデータ消去装置の磁気テープ移動装置の動作状態の一部を示す図である。
【図４】同磁気テープデータ消去装置の磁気テープ移動装置の動作状態の残部を示す図である。
【図５】同磁気テープデータ消去装置のデータ消去用磁気回路ケースの構成図である。
【図６】同磁気テープデータ消去装置のデータ消去用磁気回路台車の構成図である。
【図７】同磁気テープデータ消去装置の磁気テープ移動装置ケースの構成図である。
【図８】同磁気テープデータ消去装置の磁気テープ移動装置台車の構成図である。
【図９】同磁気テープデータ消去装置の動作説明のためのフローチャートである。
【図１０】従来の第１の例のデータ消去装置の構成を示す図である。
【図１１】従来の第２の例のデータ消去装置の構成を示す図である。
【図１２】従来の第３の例のデータ消去装置の構成を示す図である。
【符号の説明】
【００６７】
１      磁気テープデータ消去装置（磁気情報消去装置）
１２      データ消去用磁気回路（磁界発生手段）
１４      磁気テープ移動装置（移動手段）
５０      データ消去用磁気回路収納ケース（磁界発生装置収納ケース）
６０      データ消去用磁気回路台車（磁界発生装置台車）
７０      磁気テープ移動装置ケース（磁気記憶媒体移動装置収納ケース）
８０      磁気テープ移動装置台車（磁気記憶媒体移動装置台車）
【図１】
2006196134.tif 000003
【図２】
2006196134.tif 000004
【図３】
2006196134.tif 000005
【図４】
2006196134.tif 000006
【図５】
2006196134.tif 000007
【図６】
2006196134.tif 000008
【図７】
2006196134.tif 000009
【図８】
2006196134.tif 000010
【図９】
2006196134.tif 000011
【図１０】
2006196134.tif 000012
【図１１】
2006196134.tif 000013
【図１２】
2006196134.tif 000014